(57)【要約】【課題】  端の画素の輝度が高くなるのを防止することで表示品質の向上を図る。【解決手段】  左端の信号線Ｘと、その隣の信号線Ｘとの間隔Ｌ’は画素電極１５の幅Ｗよりも短くなっている。すなわち、左端の画素の開口率は、左端にない画素の開口率よりも低くなっている。これにより、端の画素においてより多く遮光することができ、よって、端の画素における輝度が高くなるのを防止することができる。【選択図】図６
2006003623.tif 000002
【特許請求の範囲】
【請求項１】
複数の並列な信号線と複数の並列な走査線とが交差するように形成され、各交差箇所に画素が配置された液晶パネルと、
前記各走査線を順次に駆動する走査線駆動手段と、
駆動された同一の走査線と前記各信号線との交差箇所に配置された各画素に映像信号を書き込む際に、端の画素を含む画素群に対し先に映像信号を書き込み、後から他の画素群に映像信号を書き込む映像信号書込手段とを備え、
前記端の画素の開口率を端にない画素の開口率よりも低くしたことを特徴とする液晶表示装置。
【請求項２】
前記端の画素に対応する信号線を太くしたことを特徴とする請求項１記載の液晶表示装置。
【請求項３】
前記端の画素に対応する信号線の隣の信号線を太くしたことを特徴とする請求項１または２記載の液晶表示装置。
【請求項４】
前記端の画素の開口部に遮光性を有する遮光パターンを含ませたことを特徴とする請求項１ないし３のいずれかに記載の液晶表示装置。
【請求項５】
前記遮光パターンを、前記画素スイッチを構成するレイヤの少なくとも１つに構成したことを特徴とする請求項１ないし４のいずれかに記載の液晶表示装置。
【請求項６】
前記遮光パターンを、前記対向基板上に構成したことを特徴とする請求項１ないし５のいずれかに記載の液晶表示装置。
【発明の詳細な説明】
【技術分野】
【０００１】
本発明は、端の画素の輝度が高くなるのを防止することで表示品質の向上を図った液晶表示装置に関する。
【背景技術】
【０００２】
薄膜トランジスタを用いたアクティブマトリクス型の液晶表示装置として、例えば特許文献１に記載のものがある。この液晶表示装置は、複数の信号線および走査線が交差するように形成され、各交差箇所には画素スイッチと画素電極が形成されたアレイ基板と、アレイ基板に液晶層を挟んで対向し、画素電極とで電圧を印加する対向電極が形成された対向基板とを備えている。
【０００３】
また、この液晶表示装置では、水平走査方向に３つの画素群、すなわち赤（Ｒ）、緑（Ｇ）および青（Ｂ）の各色に対応する画素群が構成される。また、この液晶表示装置は、各走査線を順次に駆動する走査線駆動回路と、同一の走査線に画素スイッチを介して接続された画素電極に映像信号を書き込む信号線駆動回路とを備えている。そして、信号線駆動回路は、いわゆる３選択駆動として、例えば、赤の画素群に最初に映像信号を書き込み、次に緑の画素群に映像信号を書き込み、最後に青の画素群に映像信号を書き込むように信号線を駆動する。
【０００４】
また、この液晶表示装置では、液晶の焼き付きを防止するために、先行するフレームと後続するフレームとで、液晶印加電圧（画素電極と対向電極との間の電圧）の極性を反転させる交流駆動が行われる。
【０００５】
交流駆動の方式としては、同一フレームにおける液晶印加電圧の極性を、垂直走査方向に並んだ画素群では同一にするＶライン反転駆動方式や、当該極性を、水平走査方向に並んだ画素群では同一にするＨライン反転駆動方式や、垂直走査方向において隣接する画素同士の極性が互いに異なり且つ水平走査方向で隣接する画素同士の極性が互いに異なるように制御するＨＶ反転駆動方式などが採用される。特に、Ｈライン反転駆動方式としては、対向電極を直流で駆動する方式と、対向電極を交流で駆動する、いわゆるＨコモン反転駆動方式が知られている。
【特許文献１】特開２００３−２１５５４０号公報
【発明の開示】
【発明が解決しようとする課題】
【０００６】
上記の液晶表示装置で、例えば、緑や青の色に対応する画素群に後から映像信号を書き込んだときに、赤の画素電極が上昇することがある。具体的には、赤の画素群に、水平走査方向における端の画素と端でない画素とが含まれている場合には、その配置の違いにより、端の画素と端にない画素とで画素電圧に差が生じ、これにより、端の画素と端にない画素とで光の透過率に差が生じる。そのため、端の画素が不自然に明るく見える畏れがある。また、場合によっては、不良現象の１つである輝線として認識されてしまうことがある。
【０００７】
そこで本発明は、上記の課題に鑑みてなされたものであり、その目的とするところは、端の画素の輝度が高くなるのを防止することで表示品質の向上を図った液晶表示装置を提供することにある。
【課題を解決するための手段】
【０００８】
上記課題を解決するために、請求項１記載の液晶表示装置は、複数の並列な信号線と複数の並列な走査線とが交差するように形成され、各交差箇所に画素が配置された液晶パネルと、前記各走査線を順次に駆動する走査線駆動手段と、駆動された同一の走査線と前記各信号線との交差箇所に配置された各画素に映像信号を書き込む際に、端の画素を含む画素群に対し先に映像信号を書き込み、後から他の画素群に映像信号を書き込む映像信号書込手段とを備え、前記端の画素の開口率を端にない画素の開口率よりも低くしたことを特徴とする。
【０００９】
請求項１記載の液晶表示装置によれば、端の画素の開口率を端にない画素の開口率よりも低くしたことで、端の画素においてより多く遮光されるので、他の色に対応する画素群に後から映像信号が書き込まれたときに、端の画素と端にない画素とで液晶印加電圧に差が生じることに起因する端の画素と端にない画素との光の透過率の差を低減でき、よって、端の画素の輝度が高くなるのを防止して表示品質を向上させることができる。
【００１０】
請求項２記載の液晶表示装置は、請求項１記載の液晶表示装置において、前記端の画素に対応する信号線を太くしたことを特徴とする。
【００１１】
請求項２記載の液晶表示装置によれば、端の画素に対応する信号線を太くすることで、端の画素の開口率が低くなり、これにより端の画素の輝度が高くなるのを防止して表示品質を向上させることができる。
【００１２】
請求項３記載の液晶表示装置は、請求項１または２記載の液晶表示装置において、前記端の画素に対応する信号線の隣の信号線を太くしたことを特徴とする。
【００１３】
請求項３記載の液晶表示装置によれば、端の画素に対応する信号線の隣の信号線を太くすることで、端の画素が開口率を低くなり、これにより端の画素の輝度が高くなるのを防止して表示品質を向上させることができる。
【００１４】
請求項４記載の液晶表示装置は、請求項１ないし３のいずれかに記載の液晶表示装置において、前記端の画素の開口部に遮光性を有する遮光パターンを含ませたことを特徴とする。
【００１５】
請求項４記載の液晶表示装置によれば、端の画素の開口部に遮光性を有する遮光パターンを含ませたことで、端の画素の開口率が低くなり、これにより端の画素の輝度が高くなるのを防止して表示品質を向上させることができる。
【００１６】
請求項５記載の液晶表示装置は、請求項１ないし４のいずれかに記載の液晶表示装置において、前記遮光パターンを、前記画素スイッチを構成するレイヤの少なくとも１つに構成したことを特徴とする。
【００１７】
請求項５記載の液晶表示装置によれば、遮光パターンを画素スイッチを構成するレイヤの少なくとも１つに構成したことで、端の画素の開口率が低くなり、これにより端の画素の輝度が高くなるのを防止して表示品質を向上させることができる。
【００１８】
請求項６記載の液晶表示装置は、請求項１ないし５のいずれかに記載の液晶表示装置において、前記遮光パターンを、前記対向基板上に構成したことを特徴とする。
【００１９】
請求項６記載の液晶表示装置によれば、遮光パターンを対向基板上に構成したことで、端の画素の開口率が低くなり、これにより端の画素の輝度が高くなるのを防止して表示品質を向上させることができる。
【発明の効果】
【００２０】
本発明の液晶表示装置によれば、端の画素の開口率を端にない画素の開口率よりも低くしたことで、端の画素においてより多く遮光されるので、他の色に対応する画素群に後から映像信号が書き込まれたときに、端の画素と端にない画素とで液晶印加電圧に差が生じることに起因する端の画素と端にない画素との光の透過率の差を低減でき、よって、端の画素の輝度が高くなるのを防止して表示品質を向上させることができる。
【発明を実施するための最良の形態】
【００２１】
以下、本発明の実施の形態を図面を参照して説明する。
【００２２】
図１は、本発明の実施の形態に係る液晶表示装置１の構成を概略的に示す図である。
【００２３】
液晶表示装置１は、アレイ基板１１と、このアレイ基板１１の上方に所定の間隔をおいて対向配置された対向基板１２とを備え、アレイ基板１１と対向基板１２は、シール材１３によって周囲が張り合わされ、このシール材１３に設けられた注入口より液晶材料が注入され封止されることで液晶層（図示せず）が形成されている。アレイ基板１１、対向基板１２および液晶層により液晶パネル１００が構成される。また、液晶表示装置１は、アレイ基板１１の背面に図示しないバックライト装置を備えている。
【００２４】
アレイ基板１１には、水平走査方向（図１の左右方向）に沿って並列に延出された複数の走査線Ｙと、垂直走査方向（図１の上下方向）に沿って並列に延出された複数の信号線Ｘと、各走査線Ｙと各信号線Ｘとが交差する各交差部に設けられた、画素スイッチとしての薄膜トランジスタ（多結晶シリコン膜を半導体層とする多結晶シリコンＴＦＴであり、以下、画素ＴＦＴという）１４と、この画素ＴＦＴ１４に接続された透明な画素電極１５と、が形成されている。画素電極１５は、画素の構成要素の１つであり、この画素電極１５と液晶層と後述する対向電極などで画素が構成される。
【００２５】
画素電極１５は、アレイ基板１１において液晶容量素子１６ａを構成し、また、対向基板１２との間で液晶容量素子１６ｂを構成し、これら液晶容量素子１６ａ、１６ｂにより画素の電圧が保持される。
【００２６】
信号線Ｘの数は、例えば、Ｒ（赤），Ｇ（緑），Ｂ（青）の各色につき２４０とし、走査線Ｙの数を３２０として、合計で約２３万画素の液晶表示装置１（ＱＶＧＡ（Quarter Video Graphics Array）液晶表示装置）を構成することができる。
【００２７】
図２は、水平走査方向に配置された各画素の回路図である。具体的には、左端が赤の画素Ｒ１となっており、これより右方向に、緑の画素Ｇ１、青の画素Ｂ１、赤の画素Ｒ２、緑の画素Ｇ２、…の順で画素が構成されている。
【００２８】
液晶表示装置１では、赤（Ｒ），緑（Ｇ），青（Ｂ）の順で画素の書き込みを行うが、これとは異なる順序で書き込みを行うようにしてもよい。
【００２９】
走査線Ｙには、各画素ＴＦＴ１４のゲート電極が接続される。各信号線Ｘには、対応する画素ＴＦＴ１４のソース電極が接続される。各画素ＴＦＴ１４のドレイン電極は、対応する画素電極１５に接続される。各画素電極１５は、アレイ基板１１内で液晶容量素子１６ａを、対向基板１２との間において液晶容量素子１６ｂをそれぞれ構成している。
【００３０】
また、各信号線Ｘとその隣に位置する画素電極１５との間にはカップリング容量Ｃが構成される。例えば、画素Ｂ１に映像信号を書き込む信号線Ｘと画素Ｒ２の画素電極１５との間には、３つのカップリング容量Ｃの直列回路が構成されている。なお、簡易化のため、適宜、画素電極に映像信号を書き込むことを画素に映像信号を書き込むと表現する。
【００３１】
図１に戻り、走査線Ｙを駆動する走査線駆動回路１７は、画素ＴＦＴ１４と同一の製造プロセスによってアレイ基板１１上に一体的に形成されている。 
アレイ基板１１にはＦＰＣ（Flexible Printed Circuit）２が接続され、走査線駆動回路１７に対して、走査線駆動回路制御信号１７Ｓを供給する外部駆動回路２１がＦＰＣ２に搭載される。
【００３２】
また、外部駆動回路２１は、アレイ基板１１上に一体的に形成された信号線駆動回路１８に対し、ディジタルの映像信号ＳＩＧｄを供給するようになっている。
【００３３】
信号線駆動回路１８は、外部駆動回路２１からのディジタルの映像信号ＳＩＧｄをアナログの映像信号ＳＩＧａに変換するものである。
【００３４】
アレイ基板１１上には、信号線駆動回路１８で変換された映像信号ＳＩＧａを信号線Ｘに供給するとともに供給先の信号線Ｘを切り替える信号線切替回路１９が一体的に形成されている。
【００３５】
外部駆動回路２１は、信号線切替回路１９に対し画素書き込みのための３つの書込信号、すなわち、赤の書込信号ＷＲ（Ｒ）、緑の書込信号ＷＲ（Ｇ）並びに青の書込信号ＷＲ（Ｂ）を供給するようになっている。
【００３６】
図３は、信号線切替回路１９の構成を説明するための図である。
【００３７】
液晶表示装置１では、赤（Ｒ），緑（Ｇ），青（Ｂ）の色ごとに複数の映像信号ＳＩＧａが用いられ、図３は、各映像信号ＳＩＧａに対応する単位回路を示している。
【００３８】
この単位回路は、対応する映像信号ＳＩＧａを、赤（Ｒ），緑（Ｇ），青（Ｂ）の各画素ＴＦＴ１４へ接続された信号線Ｘへ順次に供給する、すなわち３選択駆動を行うものである。単位回路は、画素ＴＦＴ１４と同様なトランジスタで構成された切替スイッチ１９１を信号線Ｘごとに、すなわち合計で３つ備える。当該１つの映像信号ＳＩＧａは、各切替スイッチ１９１のソース電極に供給される。各切替スイッチ１９１のドレイン電極は、対応する信号線Ｘに接続されている。単位回路では、赤の書込信号ＷＲ（Ｒ）、緑の書込信号ＷＲ（Ｇ）並びに青の書込信号ＷＲ（Ｂ）により、各切替スイッチ１９１のゲート電極を順次に駆動することで切替スイッチ１９１が順次に導通する。これにより、当該映像信号ＳＩＧａが順次に信号線Ｘに供給され画素に書き込まれる。
【００３９】
図４は、液晶表示装置１において液晶層を備えた部分の断面を例示した図である。
【００４０】
アレイ基板１１を構成するガラス基板１１１上には、信号線Ｘおよび走査線Ｙ、これらの配線に接続された画素ＴＦＴ１４、補助容量線１１２が形成される。画素ＴＦＴ１４は、画素ＴＦＴ１４のゲート電極は走査線Ｙに接続され、ソース電極は信号線Ｘに接続される。
【００４１】
信号線Ｘ、走査線Ｙ、画素ＴＦＴ１４および補助容量線１１２は、有機絶縁膜１１３で覆われる。そして、画素ＴＦＴ１４のドレイン電極が電極配線１１４と有機絶縁膜１１３のスルーホールを介して画素電極１５に電気的に接続される。
【００４２】
また、画素電極１５を覆うように配向膜１１５が形成され、その表面はラビング（磨き）処理される。
【００４３】
一方、対向基板１２を構成するガラス基板１２１上には、各画素電極１５に対向するカラーフィルタ部１２２１と、カラーフィルタ部１２２１同士を区切る格子状の遮光部１２２２とからなるフィルタ層１２２が形成される。
【００４４】
カラーフィルタ部１２２１は、左端の画素に対応するものがＲ（赤）で、その右隣の各画素に対応するものがＧ（緑）で、その右隣の各画素に対応するものがＢ（青）となっており、それ以降は右方向に、この構造を繰り返すように構成されている。
【００４５】
このフィルタ層１２２上には、全ての画素電極１５に共通で且つ透明な対向電極１２３が形成される。この対向電極１２３は配向膜１２４で覆われ、この配向膜１２４はラビング処理される。対向電極１２３は配向膜１２４、液晶層１３０および配向膜１１５を介して全ての画素電極１５に対向している。
【００４６】
図５は、画素Ｒ２とその周辺部を、液晶層１３０からアレイ基板１１の方向に見たときの平面図である。
【００４７】
画素Ｒ２を構成する画素ＴＦＴ１４は、対応する信号線Ｘに対しソース電極を接続し、走査線Ｙにゲート電極を接続している。画素ＴＦＴ１４のドレイン電極は、電極配線１１４を介して画素電極１５に接続される。また、画素電極１５は、補助容量線１１２とで、図１等に示す液晶容量素子１６ａを構成している。
【００４８】
この画素電極１５の幅Ｗは他の画素電極１５の幅と同一である。
【００４９】
また、画素Ｒ２に対応する信号線Ｘと、その隣の信号線Ｘとの間隔Ｌは、画素電極１５の幅Ｗにほぼ等しくなっており、この信号線同士の間隔Ｌは、左端の信号線Ｘとその隣の信号線の間隔を除いては共通になっている。
【００５０】
図６は、画素Ｒ１とその周辺部を、液晶層１３０からアレイ基板１１の方向に見たときの平面図である。
【００５１】
図５との比較で説明すると、左端の信号線Ｘと、その隣の信号線Ｘとの間隔Ｌ’は画素電極１５の幅Ｗよりも短くなっている。すなわち、左端の画素の開口率は、左端にない画素の開口率よりも低くなっている。図６では、左端の信号線Ｘの幅を広くしているが、図７に示すように、隣の信号線Ｘの幅を広くしてもよい。
【００５２】
また、図８に示すように、左端の画素の開口部内に遮光パターン１４０を設けるようにしてもよい。遮光パターンは、アレイ基板１１に設けることができる。具体的には、画素ＴＦＴを構成するレイヤの少なくとも１つの設けることができる。また、遮光パターンは、対向基板１２の、具体的には、図４のカラーフィルタ部１２２１に設けることができる。
【００５３】
なお、液晶表示装置１では、左端の信号線Ｘの幅を広くすること、隣の信号線Ｘの幅を広くすること、遮光パターンを設けることの１以上を組み合わせることで、開口率の調整が一層自由に行える。
【００５４】
次に、液晶表示装置１の動作を説明する。
【００５５】
液晶表示装置１では、外部駆動回路２１が走査線駆動回路１７に走査線駆動回路制御信号１７Ｓを供給すると、走査線駆動回路１７は各走査線Ｙを順次に駆動する。一方、外部駆動回路２１が映像信号ＳＩＧｄを信号線駆動回路１８に供給すると、信号線駆動回路１８が映像信号ＳＩＧｄを映像信号ＳＩＧａにＡ／Ｄ変換して信号線駆動回路１８に供給する。信号線駆動回路１８は、映像信号ＳＩＧａを各信号線Ｘに供給するとともに供給先の信号線Ｘを切り替える。
【００５６】
同一の走査線Ｙが駆動されているときには、当該走査線Ｙに接続された各画素ＴＦＴ１４が導通し、この画素ＴＦＴ１４を介して映像信号が画素に書き込まれる。このとき、画素電極１５と対向電極１２３との間に液晶印加電圧が生じ、これにより液晶層１３０に電界が発生する。また、液晶印加電圧の電圧を調整することで、バックライト装置からの光の透過量が調整され、これによって映像が表示される。
【００５７】
図９は、対向電極１２３に印加される信号ＶＣＯＭの電圧、書込信号ＷＲ（Ｒ）の電圧、画素Ｒ１の画素電極１５の電圧（画素電圧）ＶＲ１、画素Ｒ２の画素電極の電圧（画素電圧）ＶＲ２、を示す波形図である。なお、これら電圧波形は、画面全体に均一な中間輝度の表示、すなわち中間ラスタ表示を行うために、液晶印加電圧を一定とすることを目的に制御されたときのものである。
【００５８】
液晶表示装置１では、信号ＶＣＯＭの極性を水平走査期間ごとに反転させる。すなわちコモン反転駆動を行う。また、各水平走査期間では、対応する走査線Ｙが駆動され、この走査線Ｙと各信号線Ｘとの交差箇所に配置された画素に映像信号ＳＩＧａが書き込まれる。
【００５９】
図２に示した各画素がｎ番目の水平走査期間で映像信号を書き込まれるとすると、例えば画素Ｒ１と画素Ｒ２では、前フレームの書き込みで画素電圧ＶＲ１と画素電圧ＶＲ２が定まり、各画素電圧ＶＲ１，ＶＲ２と信号ＶＣＯＭの電圧との差に相当する各液晶印加電圧がｎ−１番目の水平走査期間まで維持される。
【００６０】
そして、ｎ番目の水平走査期間では、通常は低電圧である書込信号ＷＲ（Ｒ）を高電圧に制御することで、映像信号ＳＩＧａを赤（Ｒ）の画素群、すなわち画素Ｒ１，Ｒ２，…に書き込む。これにより、画素電圧ＶＲ１，ＶＲ２が映像信号ＳＩＧａの電圧に等しくなる。
【００６１】
次に、図示しない書込信号ＷＲ（Ｇ）を同様に高電圧に制御することで、映像信号ＳＩＧａを緑（Ｇ）の画素群、すなわち画素Ｇ１，Ｇ２，…に書き込む。
【００６２】
次に、図示しない書込信号ＷＲ（Ｂ）を高電圧に制御することで、映像信号ＳＩＧａを青（Ｂ）の画素群、すなわち画素Ｂ１，Ｂ２，…に書き込む。このとき、図２に示すように、画素Ｂ１に対応する信号線Ｘと画素Ｒ２の画素電極１５との間に介在する、３つのカップリング容量Ｃの直列回路により、画素電圧ＶＲ２が上昇する。上昇後では画素電圧ＶＲ１との電圧差ΔＶＲは数ｍＶになる。
【００６３】
そして、液晶容量素子１６ａや液晶容量素子１６ｂにより、各画素電圧ＶＲ１，ＶＲ２と信号ＶＣＯＭの電圧との差に相当する各液晶印加電圧が、ｎ＋１番目の水平走査期間、ｎ＋２番目の水平走査期間などを経て、次フレームの書き込みまで維持される。
【００６４】
そして、次フレームの書き込みでは、画素電圧ＶＲ２は、一旦は映像信号ＳＩＧａの電圧に等しくなる、つまり画素電圧ＶＲ１と等しくなるが、再びカップリングにより、画素電圧ＶＲ１よりも上昇する。したがって、画素電圧ＶＲ２は、殆どの期間において、画素電圧ＶＲ１よりも数ｍＶ高くなっている。
【００６５】
図１０は、液晶印加電圧を変化させたときの液晶における光の透過率の変化を示す図である。
【００６６】
液晶表示装置１では、液晶印加電圧を低くするほど光の透過率が高くなる。図９で説明したように、画素電圧ＶＲ１は画素電圧ＶＲ２よりも低いので、画素Ｒ１における液晶印加電圧は、画素Ｒ２における液晶印加電圧よりも低くなっている。したがって、画素Ｒ１における光の透過率は画素Ｒ２における光の透過率よりも高くなる。
【００６７】
液晶表示装置１では、図５，図６，図７および図８で説明したように、端の画素の開口率を、端にない画素の開口率よりも低くしたことで、端の画素においてより多く遮光することができ、よって、端の画素における光の透過量を、端にない画素における光の透過量に近づけることができる。好ましくは、端の画素における光の透過量と左端にない画素における光の透過量とが等しくなるように開口率を定めるとよい。
【００６８】
なお、約２３万画素の液晶表示装置１では、端の各画素の開口率を端にない画素の開口率に対して５％程度低くすると好適であることが確認されている。
【００６９】
以上説明したように、本実施の形態の液晶表示装置１は、複数の並列な信号線と複数の並列な走査線とが交差するように形成され、各交差箇所に画素が配置された液晶パネルと、各走査線を順次に駆動する走査線駆動手段としての走査線駆動回路１７と、駆動された同一の走査線と各信号線との交差箇所に配置された各画素に映像信号を書き込む際に、端の画素を含む画素群（赤の画素群）に対し先に映像信号を書き込み、後から他の画素群（緑、青のそれぞれの画素群）に映像信号を書き込む映像信号書込手段を構成する、信号線駆動回路１８および信号線切替回路１９を備えている。
【００７０】
そして、本実施の形態の液晶表示装置１は、端の画素の開口率を端にない画素の開口率よりも低くしたことで、端の画素においてより多く遮光されるので、他の色に対応する画素群に後から映像信号が書き込まれたときに、端の画素と端にない画素とで液晶印加電圧に差が生じることに起因する、端の画素と端にない画素との光の透過率の差を低減でき、よって、端の画素が輝度が高くなって不自然に明るく見えたり、輝線として認識されるのを防止することができ、その結果、表示品質を向上させることができる。
【００７１】
また、液晶表示装置１では、端の画素に対応する信号線を太くすることで、端の画素の開口率を低くすることができる。
【００７２】
また、液晶表示装置１では、端の画素に対応する信号線の隣の信号線を太くすることで、端の画素の開口率を低くすることができる。
【００７３】
また、液晶表示装置１では、端の画素の開口部に遮光性を有する遮光パターンを含ませることで、端の画素の開口率を低くすることができる。
【００７４】
また、液晶表示装置１では、遮光パターンを、画素スイッチを構成するレイヤの少なくとも１つに構成することで、端の画素の開口率を低くすることができる。
【００７５】
また、液晶表示装置１では、遮光パターンを、対向基板上に構成することで、端の画素の開口率を低くすることができる。
【図面の簡単な説明】
【００７６】
【図１】本発明の実施の形態に係る液晶表示装置１の構成を概略的に示す図である。
【図２】水平走査方向に配置された各画素の回路図である。
【図３】信号線切替回路１９の構成を説明するための図である。
【図４】液晶表示装置１において液晶層を備えた部分の断面を例示した図である。
【図５】画素Ｒ２とその周辺部を、液晶層１３０からアレイ基板１１の方向に見たときの平面図である。
【図６】画素Ｒ１とその周辺部を、液晶層１３０からアレイ基板１１の方向に見たときの平面図である。
【図７】画素Ｒ１とその周辺部を、隣の信号線Ｘの幅を広くして、液晶層１３０からアレイ基板１１の方向に見たときの平面図である。
【図８】画素Ｒ１とその周辺部を、遮光パターンを設けて、液晶層１３０からアレイ基板１１の方向に見たときの平面図である。
【図９】信号ＶＣＯＭの電圧、書込信号ＷＲ（Ｒ）の電圧、画素電圧ＶＲ１、画素電圧ＶＲ２、を示す波形図である。
【図１０】液晶印加電圧を変化させたときの液晶における光の透過率の変化を示す図である。
【符号の説明】
【００７７】
１  液晶表示装置
２  ＦＰＣ
１１  アレイ基板
１２  対向基板
１３  シール材
１４  画素ＴＦＴ
１５  画素電極
１６ａ  液晶容量素子
１６ｂ  液晶容量素子
１７  走査線駆動回路
１７Ｓ  走査線駆動回路制御信号
１８  信号線駆動回路
１９  信号線切替回路
２１  外部駆動回路
１００  液晶パネル
１１１，１２１  ガラス基板
１１２  補助容量線
１１３  有機絶縁膜
１１４  電極配線
１１５，１２４  配向膜
１２２  フィルタ層
１２３  対向電極
１３０  液晶層
１４０  遮光パターン
１９１  切替スイッチ
１２２１  カラーフィルタ部
１２２２  遮光部
Ｃ…カップリング容量
Ｇ１，Ｇ２，…，Ｒ１，Ｒ２，…，Ｂ１，Ｂ２，…  画素
Ｌ…信号線の間隔
ＳＩＧａ…アナログの映像信号
ＳＩＧｄ…ディジタルの映像信号
ＶＣＯＭ…対向電極への信号
Ｗ…画素電極の幅
ＷＲ（Ｒ），ＷＲ（Ｇ），ＷＲ（Ｂ）  書込信号
Ｘ…信号線
Ｙ…走査線
ΔＶＲ  画素電圧ＶＲ１と画素電圧ＶＲ２の電圧差
【図１】
2006003623.tif 000003
【図２】
2006003623.tif 000004
【図３】
2006003623.tif 000005
【図４】
2006003623.tif 000006
【図５】
2006003623.tif 000007
【図６】
2006003623.tif 000008
【図７】
2006003623.tif 000009
【図８】
2006003623.tif 000010
【図９】
2006003623.tif 000011
【図１０】
2006003623.tif 000012